(57)【要約】      （修正有）【課題】無線通信状況による影響を抑制して良好な音声通信を実現する。【解決手段】無線通信装置１の符号化方式選択部１５により、相手無線通信装置２との無線通信の通信状況に応じて、複数の符号化方式のうちから音声の符号化に用いる符号化方式を選択する。  通信状況が良好のときはμ-Lawを選択し、悪化したときはCVSDを選択する。  通信状況は受信電界強度または通信エラー状況に基づき判断する。【効果】通信状況に応じて、複数の符号化方式のうちから音声の符号化に用いる符号か方式が選択されるため、通信状況に応じた適切な符号化方式で音声を符号化することができ、無線通信状況による影響を抑制して良好な音声通信を実現することが可能となる。【選択図】  図３
2007259054.tif 000002
【特許請求の範囲】
【請求項１】
任意の符号化方式を用いて符号化した音声を、相手無線通信装置との間で無線通信により送受信する無線通信装置であって、
前記相手無線通信装置との無線通信の通信状況に応じて、複数の符号化方式のうちから前記符号化に用いる符号化方式を選択する符号化方式選択部を備えることを特徴とする無線通信装置。
【請求項２】
請求項１に記載の無線通信装置において、
前記符号化方式選択部は、前記音声の送受信を開始するまでの前記無線通信の通信状況に応じて前記符号化方式を選択することを特徴とする無線通信装置。
【請求項３】
請求項１に記載の無線通信装置において、
前記符号化方式選択部は、前記無線通信の受信電界強度または通信エラー状況に基づき前記符号化方式を選択することを特徴とする無線通信装置。
【請求項４】
請求項１に記載の無線通信装置において、
前記符号化方式選択部は、前記音声を送受信している前記無線通信の通信状況の変化に応じて異なる符号化方式を選択することを特徴とする無線通信装置。
【請求項５】
請求項１に記載の無線通信装置において、
前記符号化方式選択部は、前記音声を送受信している前記無線通信の通信状況の悪化に応じて前記音声の符号化に用いている第１の符号化方式とは異なる第２の符号化方式を選択し、その後の前記通信状況が良化した場合でも前記第２の符号化方式を選択することを特徴とする無線通信装置。
【請求項６】
請求項１に記載の無線通信装置において、
前記符号化方式選択部は、前記音声を送受信している前記無線通信の通信状況の悪化に応じて前記音声の符号化に用いている第１の符号化方式とは異なる第２の符号化方式を選択し、その後の前記通信状況の良化に応じて前記第１の符号化方式を継続することを特徴とする無線通信装置。
【発明の詳細な説明】
【技術分野】
【０００１】
本発明は、無線通信技術に関し、特に符号化した音声を無線回線を介して送受信する無線通信技術に関する。
【背景技術】
【０００２】
無線電話機などの無線通信装置では、任意の符号化方式を用いて符号化した音声を、相手無線通信装置との無線通信により送受信している。例えばブルートゥース(登録商標：Bluetooth)無線通信方式では、符号化した音声を伝送するためにＳＣＯ(Synchronous Connection Oriented links)という伝送方式が設けられている。
【０００３】
このような符号化方式の代表的なものとしては、μ−ｌａｗ，Ａ−ｌａｗ，ＣＶＳＤ(Continuous Variable Slope Delta Modulation)などの符号化方式がある。μ−ｌａｗは主に米国および日本で電話音声の符号化に用いられ、Ａ−ｌａｗは主に欧州で電話音声の符号化に用いられている。またＣＶＳＤはブルートゥース無線通信方式で電話音声の符号化に用いられている（例えば、非特許文献１など参照）。
【０００４】
【非特許文献１】沖電気研究開発、2000年10月，第184号，Vol.67 No.3，p.55
【発明の開示】
【発明が解決しようとする課題】
【０００５】
しかしながら、このような従来の無線通信装置では、符号化音声を無線通信により送受信する場合、予め固定的に決められたいずれか１つの符号化方式を用いて音を符号化しているため、当該無線通信の通信状況が変化した場合でも、良好な音声通信を維持できないという問題点があった。
【０００６】
符号化方式は、通信状況に応じてそれぞれ長所・短所を有している。例えば、μ−ｌａｗやＡ−ｌａｗは、極めて高い音質で音声を送受信することができるものの、僅かな送受信エラーでも耳障りなノイズが発生しやすい。一方、ＣＶＳＤは、μ−ｌａｗやＡ−ｌａｗより音質が低下するものの、送受信エラーに強く耳障りなノイズは発生しにくい。したがって、このような一般的な符号化方式では、通信状況が変化しても良好な音声通信を実現は難しい。
本発明はこのような課題を解決するためのものであり、無線通信状況による影響を抑制して良好な音声通信を実現できる無線通信装置を提供することを目的としている。
【課題を解決するための手段】
【０００７】
このような目的を達成するために、本発明にかかる無線通信装置は、任意の符号化方式を用いて符号化した音声を、相手無線通信装置との間で無線通信により送受信する無線通信装置であって、相手無線通信装置との無線通信の通信状況に応じて、複数の符号化方式のうちから符号化に用いる符号化方式を選択する符号化方式選択部を備えている。
【０００８】
この際、符号化方式選択部で、音声の送受信を開始するまでの無線通信の通信状況に応じて符号化方式を選択するようにしてもよい。
【０００９】
また、符号化方式選択部で、無線通信の受信電界強度または通信エラー状況に基づき符号化方式を選択するようにしてもよい。
【００１０】
また、符号化方式選択部で、音声を送受信している無線通信の通信状況の変化に応じて異なる符号化方式を選択するようにしてもよい。
【００１１】
また、符号化方式選択部で、音声を送受信している無線通信の通信状況の悪化に応じて音声の符号化に用いている第１の符号化方式とは異なる第２の符号化方式を選択し、その後の通信状況が良化した場合でも第２の符号化方式を選択するようにしてもよい。
【００１２】
また、符号化方式選択部で、音声を送受信している無線通信の通信状況の悪化に応じて音声の符号化に用いている第１の符号化方式とは異なる第２の符号化方式を選択し、その後の通信状況の良化に応じて第１の符号化方式を継続するようにしてもよい。
【発明の効果】
【００１３】
本発明によれば、無線通信装置の符号化方式選択部により、相手無線通信装置との無線通信の通信状況に応じて、複数の符号化方式のうちから音声の符号化に用いる符号化方式が選択されるため、相手無線通信装置との間で音声をやり取りする際、その無線通信の通信状況に応じた適切な符号化方式で音声を符号化することができ、無線通信状況による影響を抑制して良好な音声通信を実現することが可能となる。
【発明を実施するための最良の形態】
【００１４】
次に、本発明の実施の形態について図面を参照して説明する。
［第１の実施の形態］
まず、図１を参照して、本発明の第１の実施の形態にかかる無線通信装置について説明する。図１は、本発明の第１の実施の形態にかかる無線通信装置の構成を示すブロック図である。
この無線通信装置１は、任意の符号化方式を用いて符号化した音声すなわちデジタル音声データを、無線回線３を介して接続された相手無線通信装置２との無線通信により送受信する電子機器である。
【００１５】
本実施の形態は、無線通信装置１の符号化方式選択部１５により、相手無線通信装置２との無線通信の通信状況に応じて、複数の符号化方式のうちから符号化に用いる符号化方式を選択するようにしたものである。
以下では、本実施の形態にかかる無線通信装置１をカールコードレス電話装置の無線親機（本体）に適用し、相手無線通信装置２を当該無線電話装置の無線子機（ハンドセット）に適用した場合を例として説明する。
【００１６】
［無線通信装置］
無線通信装置１は、電話装置本体とハンドセットが無線回線を介して接続されるカールコードレス電話装置の無線親機（本体）であり、電話回線４を介して電話網５に接続されている。
この無線通信装置１には、主な機能部として、回線インターフェース部（以下、回線Ｉ／Ｆ部という）１１、音声処理部１２、無線インターフェース部（以下、無線Ｉ／Ｆ部という）１３、通信状況検出部１４、符号化方式選択部１５、操作入力部１６、表示部１７、記憶部１８、および制御部１９が設けられており、内部バス１０を介してこれら機能部間で各種データがやり取りされる。
【００１７】
回線Ｉ／Ｆ部１１は、専用の通信回路からなり、ＰＳＴＮ、ＩＳＤＮ、ＩＰ網、無線電話網などの電話網５からの電話回線４を収容して、電話網５と各種制御データや音声信号をやり取りする機能を有している。
音声処理部１２は、専用の信号処理回路からなり、符号化方式選択部１５で選択された符号化方式を用いて音声の符号化／復号を行う機能を有している。
無線Ｉ／Ｆ部１３は、専用の通信回路からなり、ブルートゥースや無線ＬＡＮなどの無線通信方式に基づき無線回線３を介して相手無線通信装置２と接続し、制御データや符号化された音声（音声データ）を無線通信により送受信する機能を有している。
【００１８】
通信状況検出部１４は、無線Ｉ／Ｆ部１３からの通信状態情報や無線Ｉ／Ｆ部１３で受信された各種情報に基づき、相手無線通信装置２との無線通信に関する通信状況を検出する機能を有している。
符号化方式選択部１５は、通信状況検出部１４により検出された通信状況に基づいて音声処理部１２で用いる符号化方式を選択する機能を有している。
【００１９】
操作入力部１６は、各種キーや操作スイッチなどの操作入力装置からなり、利用者の操作を検出して制御部１９へ出力する機能を有している。
表示部１７は、ＬＥＤやＬＣＤなどの表示装置からなり、制御部１９からの指示に応じて着信表示などの各種表示を行う機能を有している。
記憶部１８は、メモリなどの記憶装置からなり、制御部１９での処理に用いる制御データなどの各種情報を記憶する機能を有している。
【００２０】
制御部１９は、ＣＰＵとその周辺回路を有し、ＣＰＵや記憶部１８に予め格納されているプログラムを読み込んで実行することにより、上記ハードウェアとプログラムを協働させて、各種機能手段を実現することにより、無線通信装置１全体の制御を行う機能を有している。
【００２１】
制御部１９で実現される主な機能手段としては、回線Ｉ／Ｆ部１１および電話回線４を介して電話網５との間で各種信号や制御データをやり取りすることにより、電話網５に接続された相手電話装置６との通話の確立などの呼制御を行う呼制御手段や、無線Ｉ／Ｆ部１３を介した相手無線通信装置２との間の無線回線３の確立、および符号化方式選択部１５で選択された符号化方式の通知を行う無線制御手段がある。なお、前述した各機能部のうち、通信状況検出部１４や符号化方式選択部１５については、専用の論理回路で実現してもよく、制御部１９で実現してもよい。
【００２２】
［相手無線通信装置］
相手無線通信装置２は、電話装置本体とハンドセットが無線回線を介して接続されるカールコードレス電話装置の無線子機（ハンドセット）であり、無線回線３を介して無線通信装置１に接続されている。
相手無線通信装置２には、主な機能部として、無線インターフェース部（以下、無線Ｉ／Ｆ部という）２１、音声処理部２２、および制御部２３が設けられており、内部バス２０を介してこれら機能部間で各種データがやり取りされる。また、制御部２３には、操作入力部２６、表示部２７、および記憶部２８が接続されている。
【００２３】
無線Ｉ／Ｆ部２１は、専用の通信回路からなり、ブルートゥースや無線ＬＡＮなどの無線通信方式に基づき無線回線３を介して無線通信装置１と接続し、符号化された音声（音声データ）や制御データを無線通信により送受信する機能を有している。
音声処理部２２は、専用の信号処理回路からなり、制御部２３から指示された符号化方式を用いて音声の符号化／復号を行う機能と、無線Ｉ／Ｆ部２１から入力された音声データを音声信号に復号してスピーカ２４から出力する機能と、マイク２５から入力された音声を音声データに符号化して無線Ｉ／Ｆ部２１へ出力する機能とを有している。
【００２４】
制御部２３は、ＣＰＵとその周辺回路を有し、ＣＰＵや記憶部１８に予め格納されているプログラムを読み込んで実行することにより、上記ハードウェアとプログラムを協働させて、各種機能手段を実現することにより、相手無線通信装置２全体の制御を行う機能を有している。
制御部２３で実現される主な機能手段としては、無線Ｉ／Ｆ部２１を介した無線通信装置１との間の無線回線３の確立制御、さらには無線通信装置１から通知された符号化方式への切り替えを音声処理部２２へ指示する無線制御手段がある。
【００２５】
操作入力部２６は、各種キーや操作スイッチなどの操作入力装置からなり、利用者の操作を検出して制御部２３へ出力する機能を有している。
表示部２７は、ＬＥＤやＬＣＤなどの表示装置からなり、制御部２３からの指示に応じて着信表示などの各種表示を行う機能を有している。
記憶部２８は、メモリなどの記憶装置からなり、制御部２３での処理に用いる制御データやプログラムなどの各種情報を記憶する機能を有している。
【００２６】
［第１の実施の形態の動作］
次に、図２および図３を参照して、本発明の第１の実施の形態にかかる無線通信装置の動作について説明する。図２は、本発明の第１の実施の形態にかかる無線通信装置の通話開始動作を示すシーケンス図である。図３は、本発明の第１の実施の形態にかかる無線通信装置の符号化方式選択処理を示すフローチャートである。
ここでは、電話網５からの着信への応答操作に応じて、無線通信装置（無線親機／本体）１と相手無線通信装置（無線子機／ハンドセット）との間で音声通信用リンクを確立する際に、無線通信の通信状況に応じて、複数の符号化方式のうちから符号化に用いる符号化方式を選択する場合について説明する。
【００２７】
図２に示すように、電話網５からの着信通知が電話回線４を介して回線Ｉ／Ｆ部１１で検出された場合（ステップ１００）、無線通信装置１の制御部１９は、表示部１７へ着信表示の開始を指示する（ステップ１０１）。
この着信表示に応じて利用者によるオフフックなどの応答操作が操作入力部１６で検出された場合（ステップ１０２）、制御部１９は、回線Ｉ／Ｆ部１１から電話回線４を介して電話網５へ応答通知を出力する（ステップ１０３）。
【００２８】
電話網５への応答通知と前後して、制御部１９は、無線Ｉ／Ｆ部１３により相手無線通信装置２との間で無線回線３を接続するための制御データをやり取りすることにより、データ通信用リンクの接続処理を行う（ステップ１０４）。以後、このデータ通信用リンクを介して相手無線通信装置２との間で、音声通信用リンクの確立や符号化方式設定などの制御に用いる各種制御データがやり取りされる。
この無線回線接続処理により無線回線３が接続された後、制御部１９は符号化方式選択部１５により、相手無線通信装置２との間でやり取りする音声の符号化に用いる符号化方式の選択を行う（ステップ１０５）。
【００２９】
符号化方式選択部１５は、図３に示すように、まず通信状況検出部１４により、相手無線通信装置２との間の無線通信に関する通信状況を確認する（ステップ１２０）。この際、通信状況検出部１４は、図２のステップ１０４で相手無線通信装置２との間で制御データをやり取りした際の受信電界強度または通信エラー状況を無線Ｉ／Ｆ部１３から取得し、通信状況として符号化方式選択部１５へ通知する。
【００３０】
符号化方式選択部１５は、通信状況検出部１４から通知された通信状況と所定のしきい値とを比較し（ステップ１２１）、通信状況が悪くしきい値を下回っている場合（ステップ１２１：ＹＥＳ）、例えはＣＶＳＤなどの送受信エラーに強い符号化方式を選択し（ステップ１２２）、一連の符号化選択処理を終了する。
一方、通信状況が良好でしきい値以上の場合（ステップ１２１：ＮＯ）、符号化方式選択部１５は、例えばμ−ｌａｗやＡ−ｌａｗなど音声品質の高い符号化方式を選択し（ステップ１２３）、一連の符号化選択処理を終了する。
【００３１】
この際、通信状況が良好で符号化方式としてμ−ｌａｗが選択された場合、制御部１８は、このμ−ｌａｗ符号化方式を用いて音声をやり取りする音声通信用リンクの接続指示を、無線Ｉ／Ｆ部１３および無線回線３を介して相手無線通信装置２へ送信するとともに（ステップ１０６）、音声処理部１２に対して符号化方式選択部１５により選択されたμ−ｌａｗ符号化方式を通知して、音声符号化に用いる符号化方式としてμ−ｌａｗを設定する（ステップ１０７）。
【００３２】
一方、相手無線通信装置２の制御部２３は、無線Ｉ／Ｆ部２１により無線通信装置１からの音声通信用リンク接続指示を受信した場合、その音声通信用リンク接続指示で指定されたμ−ｌａｗ符号化方式を確認し、音声処理部２２に対して音声符号化に用いる符号化方式としてμ−ｌａｗを設定する（ステップ１０８）。符号化方式を設定した後、制御部２３は、無線Ｉ／Ｆ部２１から無線回線３を介して無線通信装置１へ応答を送信する（ステップ１０９）。
【００３３】
無線通信装置１の制御部１９は、無線Ｉ／Ｆ部１３を介して相手無線通信装置２からの応答を受信した後、回線Ｉ／Ｆ部１１、音声処理部１２、および無線Ｉ／Ｆ部１３を制御して、電話網５に接続されている相手電話装置６との通話パスと、無線回線３を介して接続された相手無線通信装置２との音声通信用リンクとを、音声処理部１２を介して相互接続することにより通話を開始する（ステップ１１０）。
【００３４】
これにより、無線通信装置１では、電話回線４を介して入力された相手電話装置６からの音声信号が回線Ｉ／Ｆ部１１を介して音声処理部１２へ入力され、設定されたμ−ｌａｗ符号化方式により符号化されて音声データとして無線Ｉ／Ｆ部１３へ出力され、無線回線３を介して相手無線通信装置２へ送信される。相手無線通信装置２では、無線Ｉ／Ｆ部２１で受信された音声データが音声処理部２２へ入力され、設定されたμ−ｌａｗ符号化方式により復号されてスピーカ２４から出力される。
【００３５】
また、相手無線通信装置２では、マイク２５から入力された音声信号が設定されたμ−ｌａｗ符号化方式により符号化されて音声データとして無線Ｉ／Ｆ部２１へ出力され、無線回線３を介して無線通信装置１へ送信される。無線通信装置１では、無線Ｉ／Ｆ部１３で受信された音声データが音声処理部１２へ入力され、設定されたμ−ｌａｗ符号化方式により音声信号に復号されて回線Ｉ／Ｆ部１１へ入力され、電話回線４を介して相手電話装置６へ送信される。
【００３６】
このように、本実施の形態では、無線通信装置１の符号化方式選択部１５により、相手無線通信装置２との無線通信の通信状況に応じて、複数の符号化方式のうちから音声の符号化に用いる符号化方式を選択するようにしたので、相手無線通信装置２との間で音声をやり取りする際、その無線通信の通信状況に応じた適切な符号化方式で音声を符号化することができ、無線通信状況による影響を抑制して良好な音声通信を実現することが可能となる。
【００３７】
また、符号化方式選択部１５により、音声を送受信するまでに無線通信により制御データを送受信した際の通信状況に応じて符号化方式を選択するようにしたので、音声通信用リンク接続時までに符号化方式を決定することが可能となる。これにより、当該通信状況に最適な符号化方式を用いた音声通信用リンクを確立することができ、音声通信用リンク確立後に符号化方式を変更する場合と比較して、符号化方式の変更に伴うノイズや音声途切れの発生を回避できる。
【００３８】
また、符号化方式選択部１５により、無線回線３の受信電界強度または通信エラー状況に基づき符号化方式を選択するようにしたので、新たな構成を追加することなく無線通信装置１に標準的に設けられている構成を利用して通信状況に最適な符号化方式を選択できる。
【００３９】
［第２の実施の形態］
次に、図４および図５を参照して、本発明の第２の実施の形態にかかる無線通信装置について説明する。図４は、本発明の第２の実施の形態にかかる無線通信装置の符号化方式切り替え動作を示すシーケンス図である。図５は、本発明の第２の実施の形態にかかる無線通信装置の符号化方式選択処理を示すシーケンス図である。
ここでは、無線通信装置１が図２のシーケンスに基づき相手無線通信装置２との間でμ−ｌａｗ符号化方式を用いた音声通信用リンクを確立した後、通信状況の悪化に応じて当該音声通信用リンクの符号化方式をＣＶＳＤへ変更する場合について説明する。
【００４０】
相手無線通信装置２との間でμ−ｌａｗ符号化方式を用いた音声通信用リンクを確立して、相手電話装置６との音声通話を行っている際（ステップ２００）、無線通信装置１の制御部１９は、符号化方式選択部１５により、図５の符号化方式選択処理を間欠的に実行している。
符号化方式選択部１５は、まず通信状況検出部１４により、相手無線通信装置２との間の無線通信に関する通信状況を確認する（図５：ステップ２１０）。この際、通信状況検出部１４は、図４のステップ２００で相手無線通信装置２との間で音声データをやり取りした際の受信電界強度または通信エラー状況を無線Ｉ／Ｆ部１３から取得し、通信状況として符号化方式選択部１５へ通知する。
【００４１】
符号化方式選択部１５は、通信状況検出部１４から通知された通信状況と所定のしきい値とを比較し（ステップ２１１）、通信状況が悪くしきい値を下回っている場合（ステップ２１１：ＹＥＳ）、例えはＣＶＳＤなどの送受信エラーに強い符号化方式を選択し（ステップ２１２）、一連の符号化選択処理を終了する。
一方、通信状況が良好でしきい値以上の場合（ステップ２１１：ＮＯ）、符号化方式選択部１５は、符号化方式の変更を行わず現在選択されている符号化方式を継続し（ステップ２１３）、一連の符号化選択処理を終了する。
【００４２】
したがって、無線回線３の通信状況が悪化した場合（図４：ステップ２０１）、ステップ２０２での符号化方式選択処理に応じて、符号化方式選択部１５により、符号化方式がμ−ｌａｗからＣＶＳＤへ変更される（ステップ２０２）。
これに応じて、制御部１９は、符号化方式選択部１５で選択された新たなＣＶＳＤ符号化方式を用いて音声をやり取りする音声通信用リンクの接続指示を、無線Ｉ／Ｆ部１３および無線回線３を介して相手無線通信装置２へ送信するとともに（ステップ２０３）、音声処理部１２に対して符号化方式選択部１５により選択されたＣＶＳＤ符号化方式を通知して、音声符号化に用いる符号化方式としてＣＶＳＤを設定する（ステップ２０４）。
【００４３】
一方、相手無線通信装置２の制御部２３は、無線Ｉ／Ｆ部２１により無線通信装置１からの音声通信用リンク接続指示を受信した場合、その音声通信用リンク接続指示で指定されたＣＶＳＤ符号化方式を確認し、音声処理部２２に対して音声符号化に用いる符号化方式としてＣＶＳＤを設定した後（ステップ２０５）、無線Ｉ／Ｆ部２１から無線回線３を介して無線通信装置１へ応答を送信する（ステップ２０６）。
【００４４】
無線通信装置１の制御部１９は、無線Ｉ／Ｆ部１３を介して相手無線通信装置２からの応答を受信した後、回線Ｉ／Ｆ部１１、音声処理部１２、および無線Ｉ／Ｆ部１３を制御して、電話網５に接続されている相手電話装置６との通信パスと、無線回線３を介して接続された相手無線通信装置２との音声通信用リンクとを、音声処理部１２を介して相互接続する。
これにより、無線通信装置１と相手無線通信装置２との間の音声通信用リンクが、μ−ｌａｗ符号化方からＣＶＳＤ符号化方式へ変更され、通話が継続される（ステップ２０７）。
【００４５】
このように、本実施の形態は、無線通信装置１の符号化方式選択部１５により、相手無線通信装置２との間で符号化された音声を送受信している無線通信の通信状況の変化に応じて、当該音声の符号化に用いる符号化方式を変更するようにしたので、符号化された音声の送受信が開始された後であっても、相手無線通信装置２との間の通信状況に応じた適切な符号化方式で音声を符号化することができ、無線通信状況による影響を抑制して良好な音声通信を実現することが可能となる。
【００４６】
また、図５のステップ２１３に示したように、通信状況が悪い場合の符号化方式が選択されている状態で、通信状況が良化した場合でも、現行の符号化方式を継続して用いるようにしたので、音声通信用リンク確立後の符号化方式の変更に伴うノイズや音声途切れの発生を回避できる。この際、通信状況が良化していることから、例えばＣＶＳＤ符号化方式を継続して用いても、音声通話に支障を来すわけではない。なお、通信状況の良化に応じて、例えばμ−ｌａｗやＡ−ｌａｗなど音声品質の高い符号化方式へ変更してもよい。
【００４７】
［実施の形態の拡張］
以上の各実施の形態では、無線通信方式としてブルートゥースを用いた場合を例に説明したがこれに限定されるものではなく、無線ＬＡＮなど他の無線通信方式を用いた場合でも、前述と同様にして各実施の形態を適用でき、同様の作用効果が得られる。
また、各実施の形態では、無線通信装置１と相手無線電話装置２とが無線電話装置を構成する無線親機および無線子機である場合を例として説明したがこれに限定されるものではなく、符号化された音声を無線回線により送受信する装置であれば、前述と同様にして各実施の形態を適用でき、同様の作用効果が得られる。
【００４８】
また、各実施の形態では、無線通信の通信状況に基づき符号化方式を変更する場合について説明したが、操作入力部１６で検出された利用者の操作に応じて、制御部１９が符号化方式を切り替えるようにしてもよい。特に音声通信に対して利用者が実感する通信品質は、利用者個人によりばらつきがあるため、しきい値を下回っていない通信状況であっても、通信品質が低下したと感じる利用者も存在する。利用者の操作に応じて符号化方式を切り替えるようにすれば、当該利用者にとって最良の符号化方式を任意に選択できる。
また、利用者が符号化方式を操作により選択するのではなく、しきい値自体を利用者が設定変更できるようにしてもよい。これにより、利用者の好みに応じた通信状況で符号化方式を自動的に切り替えることができる。
【００４９】
また、各実施の形態では、切り替え時の通信状況に応じて適切な符号化方式を選択する場合を例として説明したが、これに限定されるものではなく、過去の通信状況の履歴に基づき符号化方式を選択してもよい。例えば、所定の時刻に他の無線装置が使用されて一定期間だけ通信状況が悪化する場合には、当該期間に用いる符号化方式を記憶部１８で記憶しておき、当該期間に至った場合には記憶している符号化方式を自動的に選択するようにしてもよい。また、通信状況の変動が激しい場合、過去一定期間の通信状況の変化履歴から算出した統計値に基づき符号化方式を選択してもよく、符号化方式を安定して選択できる。
【図面の簡単な説明】
【００５０】
【図１】本発明の第１の実施の形態にかかる無線通信装置の構成を示すブロック図である。
【図２】本発明の第１の実施の形態にかかる無線通信装置の通話開始動作を示すシーケンス図である。
【図３】本発明の第１の実施の形態にかかる無線通信装置の符号化方式選択処理を示すフローチャートである。
【図４】本発明の第２の実施の形態にかかる無線通信装置の符号化方式切り替え動作を示すシーケンス図である。
【図５】本発明の第２の実施の形態にかかる無線通信装置の符号化方式選択処理を示すフローチャートである。
【符号の説明】
【００５１】
１…無線通信装置（無線親機／本体）、１１…回線Ｉ／Ｆ部、１２…音声処理部、１３…無線Ｉ／Ｆ部、１４…通信状況検出部、１５…符号化方式選択部、１６…操作入力部、１７…表示部、１８…記憶部、１９…制御部、１０…内部バス、２…相手無線通信装置（無線子機／ハンドセット）、２１…無線Ｉ／Ｆ部、２２…音声処理部、２３…制御部、２４…スピーカ、２５…マイク、２０…内部バス、３…無線回線、４…電話回線、５…電話網、６…相手電話装置。
【図１】
2007259054.tif 000003
【図２】
2007259054.tif 000004
【図３】
2007259054.tif 000005
【図４】
2007259054.tif 000006
【図５】
2007259054.tif 000007